(57)【要約】【課題】  遊技媒体を受皿から貯留箱へ移す際の作業の煩雑さを解消することができる遊技機を提供すること。【解決手段】  メダルの払出口から払い出されるメダルを貯留する受皿が本体筐体の前面に設けられた遊技機であって、上記受皿の左右側板及び前方側板により形成されるメダル収納空間には、上記左右側板のいずれか一方の側板の下部から他方の側板に向かって漸次に立ち上がる傾斜底板が、該傾斜底板の頂上辺が上記左右側板の間に位置するように設けられ、上記払出口は、上記傾斜底板の上方に位置するように設けられ、上記頂上辺と上記他方の側板との間には、メダル貯留箱が着脱自在に収納されるメダル貯留箱収納空間が形成されていることを特徴とする遊技機。【選択図】    図１
2007082847.tif 000002
【特許請求の範囲】
【請求項１】
メダルの払出口から払い出されるメダルを貯留する受皿が本体筐体の前側に設けられた遊技機であって、
前記受皿の左右側板及び前方側板により形成されるメダル収納空間には、前記左右側板のいずれか一方の側板の下部から他方の側板に向かって漸次に立ち上がる傾斜底板が、該傾斜底板の頂上辺が前記左右側板の間に位置するように設けられ、
前記払出口は、前記傾斜底板の上方に位置するように設けられ、
前記頂上辺と前記他方の側板との間には、メダル貯留箱が着脱自在に収納されるメダル貯留箱収納空間が形成されている
ことを特徴とする遊技機。
【請求項２】
前記頂上辺は、前記左右側板の頂部より下方に位置するように設定され、
前記頂上辺と、前記他方の側板の下部から前記一方の側板の下部に向かって連続的に延びる底板との間には、分離壁が設けられている
ことを特徴とする請求項１に記載の遊技機。
【請求項３】
前記頂上辺と前記他方の側板との間に位置する前記前方側板は、部分的に前方へ開閉自在にヒンジを介して設けられている
ことを特徴とする請求項１又は２に記載の遊技機。
【請求項４】
前記一方の側板の下部には、第２の傾斜底板の一方辺がヒンジを介して連結され、
前記第２の傾斜底板は、常態時に、該第２の傾斜底板の他方辺が弾性体の付勢力によって前記頂上辺と係合する一方、前記弾性体の付勢力に抗して前記他方辺が前記底板の方向へ倒されたときには、前記メダル貯留箱収納空間が形成されるように、構成されている
ことを特徴とする請求項１〜３のいずれか１に記載の遊技機。
【発明の詳細な説明】
【技術分野】
【０００１】
本発明は、例えば、パチスロ遊技装置やスロットマシン等の遊技機に関する。
【背景技術】
【０００２】
通常、パチスロ遊技装置やスロットマシン等の遊技機においては、筐体の下側前方にコインやメダルの払出口が設けられるとともに、払出口の下側に受皿が設けられている。遊技を終了するときや、受皿がメダルで一杯になったときには、遊技者は、受皿からメダルを手でかき出し、貯留箱に移す作業を行う。しかし、一方の手でメダルをかき出しつつ他方の手でそれを受けて貯留箱に移す作業を行うと、メダルを床に落としてしまうという問題があった。また、受皿内のメダルの残量が少なくなってくると、指先でメダルを受皿外へ引きずり出すことも行われるが、効率が悪くて遊技者が不快感を抱くこともあった。
【０００３】
従来の遊技機としては、例えば、受皿の底面に複数の溝が形成された遊技機（例えば特許文献１参照）や、受皿の底面に複数のリブが形成された遊技機（例えば特許文献２参照）が存在する。これらの遊技機によれば、受皿内のメダルの残量が少なくなっても、受皿内のメダルを掴み取り易い。
【０００４】
【特許文献１】特開平１１−１１１４１４号公報
【特許文献２】実開平６−１５１６２号公報
【発明の開示】
【発明が解決しようとする課題】
【０００５】
しかしながら、特許文献１、２に記載の遊技機では、結局、受皿内から手でメダルを取り出して貯留箱に移す必要があるため、メダルを受皿から貯留箱へ移す際の作業の煩雑さを解消することができないという問題があった。
【０００６】
本発明は、上述した課題に鑑みてなされたものであり、その目的は、メダルを受皿から貯留箱へ移す際の作業の煩雑さを解消することができる遊技機を提供することにある。
【課題を解決するための手段】
【０００７】
以上のような目的を達成するために、本発明は、以下のようなものを提供する。
（１）  メダルの払出口から払い出されるメダルを貯留する受皿が本体筐体の前側に設けられた遊技機であって、
上記受皿の左右側板及び前方側板により形成されるメダル収納空間には、上記左右側板のいずれか一方の側板の下部から他方の側板に向かって漸次に立ち上がる傾斜底板が、該傾斜底板の頂上辺が上記左右側板の間に位置するように設けられ、
上記払出口は、上記傾斜底板の上方に位置するように設けられ、
上記頂上辺と上記他方の側板との間には、メダル貯留箱が着脱自在に収納されるメダル貯留箱収納空間が形成されている
ことを特徴とする遊技機。
【０００８】
（１）の発明によれば、払出口から払い出されるメダルは、先ず一方の側板と傾斜底板とにより形成されるスペースに貯留されることになる。また、遊技者は、傾斜底板の頂上辺と他方の側板との間に形成されるメダル貯留箱収納空間にメダル貯留箱を設置したり、メダル貯留箱収納空間からメダル貯留箱を取り出したりすることができる。
【０００９】
従って、一方の側板と傾斜底板とにより形成されるスペースに貯留されたメダルを、手で傾斜底板上を滑らせ、メダル貯留箱に流し込むことにより、スムーズにメダル貯留箱に移すことができる。また、メダル貯留箱にメダルが入りきらなくなったときには、一旦、一方の側板と傾斜底板とにより形成されるスペースに手でメダルを流し込んだ後に、メダル貯留箱を空のメダル貯留箱に交換し、その後、一方の側板と傾斜底板とにより形成されるスペースから手でメダル貯留箱にメダルを流し込むことにより、スムーズにメダル貯留箱にメダルを移すことができる。
【００１０】
また、傾斜底板の上方に払出口が設けられていて、払出口から、一方の側板と傾斜側板とにより形成されるスペースにメダルが払い出されるため、遊技者は、払出口からメダルが払い出されるタイミングを意識することなく、適宜にメダル貯留箱の交換を行うことが可能であり、利便性に優れる。かりに、メダル貯留箱が設置されるメダル貯留箱収納空間の上方に、払出口が位置していると、メダルが払い出されるときにメダル貯留箱を交換することができない事態が生じ得る。特に遊技者がメダル貯留箱の交換を意識するのはメダルが頻繁に払い出されるときであるから、メダルが払い出されるときにメダル貯留箱を交換することができないと、メダル貯留箱からメダルが溢れてしまうおそれがある。しかし、上述したように、（１）の発明によれば、遊技者は、払出口からメダルが払い出されるタイミングを意識することなく、メダル貯留箱を交換することができるので、このような問題が生じることがない。
【００１１】
さらに、本発明は、以下のようなものを提供する。
（２）  上記（１）の遊技機であって、
上記頂上辺は、上記左右側板の頂部より下方に位置するように設定され、
上記頂上辺と、上記他方の側板の下部から上記一方の側板の下部に向かって連続的に延びる底板との間には、分離壁が設けられている
ことを特徴とする。
【００１２】
（２）の発明によれば、頂上辺が左右側板の頂部より下方に位置するように設定されているため、メダル収納空間からメダルを移すときに、メダルが前方側板を乗り越えて溢れ出すことを防止することができる。また、頂上辺と、他方の側板の下部から一方の側板の下部に向かって連続的に延びる底板との間に分離壁が設けられているため、傾斜底板の裏側にメダルが入り込まないようにすることができる。このように、（２）の発明によれば、メダルが受皿から溢れ出したり、傾斜底板の裏側に入り込んだりすることを防止し得るため、メダルの取り扱いが容易であり、利便性に優れる。
【００１３】
（３）  上記（１）又は（２）の遊技機であって、
上記頂上辺と上記他方の側板との間に位置する上記前方側板は、部分的に前方へ開閉自在にヒンジを介して設けられている
ことを特徴とする。
【００１４】
（３）の発明によれば、頂上辺と他方の側板との間に位置する前方側板が、部分的に前方へ開閉自在にヒンジを介して設けられているため、その開閉自在な前方側板を開くことにより、受皿内に収まらない大きさの貯留箱を、該貯留箱の一部を受皿の前方に突出させて上記メダル貯留箱収納空間に設置することができる。このように大きなメダル貯留箱を設置可能とすることにより、メダル貯留箱を交換する頻度を少なくすることができるため、利便性に優れる。
【００１５】
（４）  上記（１）〜（３）のいずれか１の遊技機であって、
上記一方の側板の下部には、第２の傾斜底板の一方辺がヒンジを介して連結され、
上記第２の傾斜底板は、常態時に、該第２の傾斜底板の他方辺が弾性体の付勢力によって上記頂上辺と係合する一方、上記弾性体の付勢力に抗して上記他方辺が上記底板の方向へ倒されたときには、上記メダル貯留箱収納空間が形成されるように、構成されている
ことを特徴とする。
【００１６】
（４）の発明によれば、常態時には、第２の傾斜底板の他方辺が頂上辺と係合するため、第２の傾斜底板によってメダル貯留箱収納空間が覆われ、傾斜底板と第２の傾斜底板との段差もないため、メダル収納空間内でメダルをスムーズに移動させることができる。従って、メダル貯留箱を設置していない場合であっても、上記受皿内のメダルの取り扱いが煩雑になったり困難になったりすることがない。
【発明の効果】
【００１７】
本発明によれば、メダルを受皿からメダル貯留箱へ移す際の作業の煩雑さを解消することができる。
【発明を実施するための最良の形態】
【００１８】
本発明の実施形態について図面に基づいて説明する。以下においては、本発明の好適な実施形態として、本発明をパチスロ遊技装置に適用した場合について説明することとする。
図１は、パチスロ遊技装置の一例を模式的に示す斜視図である。
このパチスロ遊技装置１は、メダルを用いるものである。ただし、本発明におけるメダルは、コインやトークン等、メダルと同様に用いるものを含む概念である。
【００１９】
パチスロ遊技装置１の全体を形成している本体筐体１０は、前面に開口（図示せず）を有していて、さらに本体筐体１０には、その開口を覆うように本体筐体１０に開閉可能に支持された扉体２が設けられている。扉体２の正面には、液晶表示装置５が設置されている。この液晶表示装置５は、透明液晶パネルを備えており、その一部又は全部を透明／非透明の状態に切り替えることが可能であるとともに、遊技に関する演出画像等を表示可能である。
【００２０】
また、液晶表示装置５の背面側には、可変表示部として３個の回転リール３Ｌ、３Ｃ、３Ｒが設けられている。３個の回転リール３Ｌ、３Ｃ、３Ｒは、それぞれその外周面に複数の図柄等の識別情報が表示されており、回転可能に横一列に設けられている。各回転リール３Ｌ、３Ｃ、３Ｒの識別情報は、上記透明液晶パネルが透明状態となった際に視認可能となる。液晶表示装置５の下方には、水平面を有する台座部１２が形成されており、台座部１２の右側には、メダル投入口２２が設けられ、台座部１２の左側には、１−ＢＥＴスイッチ１１及び最大ＢＥＴスイッチ１３が設けられている。
【００２１】
台座部１２の前面左側には、遊技者の操作により回転リール３Ｌ、３Ｃ、３Ｒを回転させるためのスタートレバー６が所定の角度範囲で回動自在に取り付けられている。台座部１２の前面部中央には、３個の回転リール３Ｌ、３Ｒ、３Ｃの回転をそれぞれ停止させるための３個の停止ボタン７Ｌ、７Ｃ、７Ｒが設けられている。
【００２２】
台座部１２の下側には、キャラクタ等が描かれた腰部パネル２３が設けられ、腰部パネル２３の下側には、メダルの払出口１５が設けられている。払出口１５の下方であり、且つ、本体筐体１０の前側には、受皿３０が設けられている。また、受皿３０の左側には、灰皿２５が着脱可能に設けられている。
【００２３】
次に、受皿３０について詳述することにする。
図２は、図１に示したパチスロ遊技装置１が備える受皿３０を模式的に示す斜視図である。
図３は、図２に示した受皿３０の可動前方側板３４が開いた状態を模式的に示す斜視図である。
図４は、図３に示した受皿３０の第２傾斜底板３８が底板４０の方向へ倒された状態を模式的に示す斜視図である。
図５は、図４に示した受皿３０にメダル貯留箱５０が設置された状態を模式的に示す斜視図である。
【００２４】
図２に示すように、受皿３０は、右側板３１、左側板３２及び前方側板３３を備えている。右側板３１、左側板３２及び前方側板３３により形成されるメダル収納空間３６には、右側板３１の下部（図示せず）から左側板３２に向かって漸次に立ち上がる第１傾斜底板３７が、第１傾斜底板３７の頂上辺３７ａが右側板３１及び左側板３２の間に位置するように設けられている。第１傾斜底板３７の頂上辺３７ａは、右側板３１の頂部３１ａ、及び、左側板３２の頂部３２ａより下方に位置するように設定されている。払出口１５は、第１傾斜底板３７の上方に位置するように設けられている。
【００２５】
前方側板３３は、可動前方側板３４と、固定前方側板３５とからなる。可動前方側板３４は、第１傾斜底板３７の頂上辺３７ａと、左側板３２との間の前方に位置している。
図３に示すように、可動前方側板３４は、下辺を軸としてヒンジ（図示せず）を介して底板４０に設けられていて、前方（矢印Ｃ方向）へ開閉自在となっている。
【００２６】
図３に示すように、左側板３２と右側板３１との間には、左側板３２の下部（図示せず）から右側板３１の下部（図示せず）に向かって連続的に延びる底板４０が設けられている。また、第１傾斜底板３７の頂上辺３７ａと、底板４０との間には、分離壁４１が設けられている。
【００２７】
図２に示すように、可動前方側板３４の前面には、案内溝３４ｂが形成され、案内溝３４ｂには、操作片３４ａが左右方向に移動可能に設けられている。操作片３４ａは、可動前方側板３４を開閉する際に遊技者によって操作されるものである。
操作片３４ａは、常態時に、右方向（矢印Ｂ方向）に、可動前方側板３４内に設けられたバネ（図示せず）によって付勢されていて、これにより可動前方側板３４は閉状態に固定される。
即ち、操作片３４ａが右方向に付勢されているときには、操作片３４ａの係止部３４ｃ（図３参照）が、可動前方側板３４の右側面から突出し、固定前方側板３５の左側面に形成された溝３５ｄ（図３参照）に係合する。
操作片３４ａが遊技者によって操作され、上記バネの付勢力に抗して左方向に移動すると、図３に示すように、可動前方側板３４の閉状態の固定が解除され、可動前方側板３４を前方（矢印Ｃ方向）に開くことが可能になる。
【００２８】
また、図２に示すように、左側板３２の下部には、第２傾斜底板３８の一方辺がヒンジ（図示せず）を介して連結されていて、第２傾斜底板３８の裏側には、板バネ（弾性体）３９が設けられている。板バネ３９は、第２傾斜底板３８を上方に付勢するように設けられている。
第２傾斜底板３８は、図２及び図３に示すように、常態時、第２傾斜底板３８の他方辺３８ａが板バネ３９の付勢力によって、第１傾斜底板３７の頂上辺３７ａと係合する一方、図４に示すように、板バネ３９の付勢力に抗して第２傾斜底板３８の他方辺３８ａが底板４０の方向（矢印Ｄ方向）へ倒されると、メダル貯留箱収納空間４２が形成されるように、構成されている。図５に示すように、メダル貯留箱収納空間４２に、メダル貯留箱５０を設置することができる。
【００２９】
図２に示すように、固定前方側板３５の前面には、案内溝３５ｂが形成され、案内溝３５ｂには、操作片３５ａが左右方向に移動可能に設けられている。操作片３５ａは、板バネ３９の付勢力に抗して底板４０の方向に倒された第２傾斜底板３８の固定を解除する際に遊技者によって操作されるものである。操作片３５ａは、常態時に、左方向（矢印Ａ方向）に、第１傾斜底板３７の裏側に設けられたバネ（図示せず）によって付勢されていて、これにより第２傾斜底板３８は固定されることになる。
即ち、操作片３５ａが左方向に付勢されているときには、図４に示すように、操作片３５ａの係止部３５ｃが、分離壁３５から左方向へ突出し、板バネ３９の付勢力に抗して底板４０の方向に倒された第２傾斜底板３８の他方辺３８ａと係合する。
操作片３５ａが遊技者によって操作され、上記バネの付勢力に抗して右方向に移動すると、第２傾斜底板３８の固定が解除され、板バネ３９の付勢力によって第２傾斜底板３８は上方に移動し、図２及び図３に示すように、第２傾斜底板３８の他方辺３８ａは、第１傾斜底板３７の頂上辺３７ａと係合する。
【００３０】
図２〜図５を用いて説明した受皿３０にメダルが払い出される様子について、図６及び図７を用いて説明する。
図６は、図５に示した受皿３０にメダルが払い出される様子を模式的に示す斜視図である。
図７は、図６に示した受皿３０からメダル貯留箱５０にメダルが移る様子を模式的に示す斜視図である。
【００３１】
図６に示すように、払出口１５からメダルＭが払い出されると、メダルＭは、第１傾斜底板３７上を矢印Ｅ方向に移動し、右側板３１と第１傾斜底板３７とにより形成されるスペースに貯留される。これらのメダルＭをメダル貯留箱５０に移すときには、メダルＭを、手で第１傾斜底板３７上を滑らせて矢印Ｆ方向に移動させ、メダル貯留箱５０に流し込むことにより、スムーズにメダル貯留箱５０にメダルＭを移すことができる。
【００３２】
以上、図１〜図７を用いて説明したパチスロ遊技装置１によれば、払出口１５から払い出されるメダルＭは、先ず左側板３１と第１傾斜底板３７とにより形成されるスペースに貯留箱される（図６参照）。また、遊技者は、第１傾斜底板３７の頂上辺３７ａと右側板３２との間に形成されるメダル貯留箱収納空間４２に、メダル貯留箱５０を設置したり、メダル貯留箱収納空間４２からメダル貯留箱５０を取り出したりすることができる（図５参照）。
【００３３】
従って、右側板３１と第１傾斜底板３７とにより形成されるスペースに貯留されたメダルＭを、手で第１傾斜底板３７上を滑らせ、メダル貯留箱５０に流し込むことにより、スムーズにメダル貯留箱５０に移すことができる（図７参照）。また、メダル貯留箱５０にメダルＭが入りきらなくなったときには、一旦、右側板３１と第１傾斜底板３７とにより形成されるスペースに手でメダルＭを流し込んだ後に、メダル貯留箱５０を空のメダル貯留箱５０に交換し、その後、右側板３１と第１傾斜底板３７とにより形成されるスペースから手でメダル貯留箱５０にメダルＭを流し込むことにより、スムーズにメダル貯留箱５０にメダルＭを移すことができる。
【００３４】
また、第１傾斜底板３７の上方に払出口１５が設けられていて、払出口１５から、右側板３１と第１傾斜底板３７とにより形成されるスペースにメダルが払い出されるため、遊技者は、払出口１５からメダルが払い出されるタイミングを意識することなく、適宜にメダル貯留箱５０の交換を行うことが可能であり、利便性に優れる。
【００３５】
また、第１傾斜底板３７の頂上辺３７ａが、右側板３１の頂部３１ａ及び左側板３２の頂部３２ａにより下方に位置するように設定されているため、メダル収納空間３６からメダル貯留箱５０にメダルＭを移すときに、メダルＭが前方側板３３を乗り越えて溢れ出すことを防止することができる。
また、図３及び図４に示したように、第１傾斜底板３７の頂上辺３７ａと、底板４０との間に、分離壁４１が設けられているため、第１傾斜底板３７の裏側にメダルが入り込まないようにすることができる。
【００３６】
また、可動前方側板３４を開くことにより、受皿３０内に収まらない大きさのメダル貯留箱５０を、その一部を受皿３０の前方に突出させて、メダル貯留箱収納空間４２に設置することができる。このように大きなメダル貯留箱５０を設置可能とすることにより、メダル貯留箱５０を交換する頻度を少なくすることができるため、利便性に優れる。
【００３７】
さらに、左側板３２の下部（図示せず）には、第２傾斜底板３８の一方辺（図示せず）がヒンジ（図示せず）を介して連結され、第２傾斜底板３８は、常態時に、第２傾斜底板３８の他方辺３８ａが板バネ３９の付勢力によって第１傾斜底板３７の頂上辺３７ａと係合する一方、板バネ３９の付勢力に抗して他方辺３８ａが底板４０の方向へ倒されたときには、メダル貯留箱収納空間４０が形成されるように構成されている。従って、常態時には、第２傾斜底板３８の他方辺３８ａが頂上辺３７ａと係合するため、第２傾斜底板３８によってメダル貯留箱収納空間４２が覆われ、第１傾斜底板３７と第２傾斜底板３８との段差もないため（図２参照）、メダル収納空間３６内でスムーズにメダルＭを移動させることができる。従って、メダル貯留箱５０を設置していない場合であっても、受皿３０内のメダルの取り扱いが煩雑になったり困難になったりすることがない。
このように、図１〜図７を用いて説明したパチスロ遊技装置１によれば、メダルＭを受皿３０からメダル貯留箱５０に移す際の作業の煩雑さを解消することができる。
【００３８】
本発明は、図１〜図７に示した形態に限定されるものではない。例えば、前方側板の一部が前方に開閉しない構成を採用することが可能である。そのような形態としては、例えば、図８〜図９に示す形態を挙げることができる。
図８は、本発明に係るパチスロ遊技装置が備える受皿の他の一例を模式的に示す斜視図である。
図９は、図８に示した受皿にメダル貯留箱が設置された状態を模式的に示す斜視図である。
【００３９】
図８に示すように、受皿１３０は、右側板１３１、左側板１３２及び前方側板３３を供えている。右側板１３１、左側板１３２及び前方側板１３３により形成されるメダル収納空間１３６には、右側板１３１の下部（図示せず）から左側板１３２に向かって漸次に立ち上がる第１傾斜底板１３７が、第１傾斜底板１３７の頂上辺１３７ａが右側板１３１及び左側板１３２の間に位置するように設けられている。払出口１１５は、第１傾斜底板１３７の上方に位置するように設けられている。
【００４０】
また、左側板１３２の下部には、第２傾斜底板１３８の一方辺がヒンジ（図示せず）を介して連結されていて、第２傾斜底板１３８の裏側には、板バネ１３９（弾性体）が設けられている。板バネ１３９は、第２傾斜底板１３８を上方に付勢するように設けられている。第２傾斜底板１３８は、常態時、第２傾斜底板１３８の他方辺１３８ａが板バネ１３９の付勢力によって、第１傾斜底板１３７の頂上辺１３７ａと係合する一方、板バネ１３９の付勢力に抗して第２傾斜底板１３８の他方辺１３８ａが底板（図示せず）の方向に倒されると、図２〜図７を用いて説明した受皿３０と同様に、メダル貯留箱収納空間（図示せず）が形成されるように、構成されている。
【００４１】
前方側板１３３の前面には、案内溝１３３ｂが形成され、案内溝１３３ｂには、操作片１３３ａが左右方向に移動可能に設けられている。操作片１３３ａは、板バネ１３９の付勢力に抗して底板（図示せず）の方向に倒された第２傾斜底板１３８の固定を解除する際に遊技者によって操作されるものである。この構成は、図２〜図７を用いて説明した受皿３０の構成と同様である。
【００４２】
第２傾斜底板１３８を倒すと、図９に示すように、メダル貯留箱１５０を設置することが可能になる。１５１は、メダル貯留箱１５０を取り出すときに遊技者によって把持される把持部である。
【００４３】
図８〜図９に示した受皿１３０では、受皿１３０内に収まるメダル貯留箱１５０を設置可能である。このような受皿１３０によれば、遊技者が前方側板１３３の倒立に係る作業を行う必要がなく、この点、取り扱いの利便性に優れる。
【００４４】
また、本発明は、例えば、第２傾斜底板を有さない構成を採用することが可能である。
そのような形態としては、例えば、図１０〜図１１に示す形態を挙げることができる。
図１０は、本発明に係るパチスロ遊技装置が備える受皿のさらに他の一例を模式的に示す斜視図である。
図１１は、図１０に示した受皿の可動前方側板が開いた状態を模式的に示す斜視図である。
【００４５】
図１０に示すように、受皿２３０は、右側板２３１、左側板２３２及び前方側板２３３を備えている。右側板２３１、左側板２３２及び前方側板２３３により形成されるメダル収納空間２３６には、右側板２３１の下部（図示せず）から左側板２３２に向かって漸次に立ち上がる第１傾斜底板２３７が、第１傾斜底板２３７の頂上辺２３７ａが右側板２３１及び左側板２３２の間に位置するように設けられている。払出口２１５は、第１傾斜底板２３７の上方に位置するように設けられている。
【００４６】
前方側板２３３は、可動前方側板２３４と、固定前方側板２３５とからなる。可動前方側板２３４は、第１傾斜底板２３７の頂上辺２３７ａと左側板２３２との間の前方に位置している。図１１に示すように、可動前方側板２３４は、下辺を軸としてヒンジ（図示せず）を介して底板２４０に設けられていて、前方へ開閉自在となっている。
可動前方側板２３４の前面には、案内溝２３４ｂが形成され、案内溝２３４ｂには、操作片２３４ａが左右方向に移動可能に設けられている。操作片２３４ａは、可動前方側板２３４を開閉する際に遊技者によって操作されるものである。この構成は、図２〜図７を用いて説明した受皿２３０の構成と同様である。
【００４７】
また、図１１に示すように、左側板２３２と右側板２３１との間には、左側板２３２の下部（図示せず）から右側板２３１の下部（図示せず）に向かって連続的に延びる底板２４０が設けられている。また、第１傾斜底板２３７の頂上辺２３７ａと、底板２４０との間には、分離壁２４１が設けられている。
【００４８】
可動前方側板２３４を前方に開くと、図１１に示すように、メダル貯留箱収納空間２４２の前方が開放される。従って、図１０〜図１１に示した受皿２３０によれば、図５に示したような大きなメダル貯留箱５０を設置することが可能である。
【００４９】
本発明は、上述した実施形態に限定されるものではなく、例えば、以下のような構成を採用することができる。上述した実施形態では、傾斜底板の表面が平面である場合について説明したが、本発明において、傾斜底板の表面は、上方に湾曲した曲面であってもよく、下方に湾曲した曲面であってもよい。また、上述した実施形態では、第２傾斜底板の他方辺が頂上辺と係合するように付勢する弾性体が、板バネである場合について説明したが、本発明における弾性体は、この例に限定されず、例えば、ゴムや、各種のバネ等、従来公知の弾性体を採用することができる。
【００５０】
以上、本発明の実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００５１】
【図１】本発明に係るパチスロ遊技装置の一例を模式的に示す斜視図である。
【図２】図１に示したパチスロ遊技装置が備える受皿を模式的に示す斜視図である。
【図３】図２に示した受皿の可動前方側板が開いた状態を模式的に示す斜視図である。
【図４】図３に示した受皿の第２傾斜底板が底板の方向へ倒された状態を模式的に示す斜視図である。
【図５】図４に示した受皿にメダル貯留箱が設置された状態を模式的に示す斜視図である。
【図６】図５に示した受皿にメダルが払い出される様子を模式的に示す斜視図である。
【図７】図６に示した受皿からメダル貯留箱にメダルが移る様子を模式的に示す斜視図である。
【図８】本発明に係るパチスロ遊技装置が備える受皿の他の一例を模式的に示す斜視図である。
【図９】図８に示した受皿にメダル貯留箱が設置された状態を模式的に示す斜視図である。
【図１０】本発明に係るパチスロ遊技装置が備える受皿のさらに他の一例を模式的に示す斜視図である。
【図１１】図１０に示した受皿の可動前方側板が開いた状態を模式的に示す斜視図である。
【符号の説明】
【００５２】
１  パチスロ遊技装置
２  扉体
１０  本体筐体
１５  払出口
３０  受皿
３１  右側板
３１ａ  （右側板３１の）頂部
３２  左側板
３２ａ  （左側板３２の）頂部
３３  前方側板
３４  可動前方側板
３４ａ  （可動前方側板３４の開閉用の）操作片
３４ｂ  （操作片３４ａの）案内溝
３４ｃ  （操作片３４ａの）係止部
３５  固定前方側板
３５ａ  （第２傾斜側板３９の固定用の）操作片
３５ｂ  （操作片３５ａの）案内溝
３５ｃ  （操作片３５ａの）係止部
３５ｄ  溝
３６  メダル収納空間
３７  第１傾斜底板
３７ａ  頂上辺
３８  第２傾斜底板
３８ａ  （第２傾斜底板の）他方辺
３９  板バネ（弾性体）
４０  底板
４１  分離壁
４２  メダル貯留箱収納空間
５０  メダル貯留箱
【図１】
2007082847.tif 000003
【図２】
2007082847.tif 000004
【図３】
2007082847.tif 000005
【図４】
2007082847.tif 000006
【図５】
2007082847.tif 000007
【図６】
2007082847.tif 000008
【図７】
2007082847.tif 000009
【図８】
2007082847.tif 000010
【図９】
2007082847.tif 000011
【図１０】
2007082847.tif 000012
【図１１】
2007082847.tif 000013